Podtech/llm-jp-corpus-v4-ja_patent huggingface dataset:
【手続補正書】
【提出日】令和2年10月28日(2020.10.28)
【手続補正１】
【補正対象書類名】特許請求の範囲
【補正対象項目名】全文
【補正方法】変更
【補正の内容】
【特許請求の範囲】
【請求項１】
加工物領域の化学的に強化された荷電粒子ビーム・ミリングの方法であって、
ミリングのターゲットとされた前記加工物領域の表面にエッチング支援ガスを供給することであり、前記ターゲットとされた加工物領域の前記表面の少なくとも一部分が本質的に炭素質材料からなることと、
前記表面の本質的に炭素質材料からなる前記一部分に向かって集束イオン・ビームを導き、それによって、前記エッチング支援ガスを使用しない場合の除去速度より大きい除去速度で前記ターゲットとされた領域から炭素を除去することと
を含み、
前記エッチング支援ガスが、ニトロ酢酸メチル、酢酸メチル、酢酸エチル、ニトロ酢酸エチル、酢酸プロピル、ニトロ酢酸プロピル、ニトロ酢酸エチル、メトキシ酢酸メチルおよびメトキシアセチルクロリドからなるグループから選択された化学物質を含み、
前記炭素質材料が、ダイヤモンドと、ガラス質炭素と、ポリイミド材料と、炭素に富む他のポリマー材料を含む有機樹脂とからなるグループから選択された
方法。
【請求項２】
前記集束イオン・ビームが、プラズマ集束イオン・ビーム源から生じたものである、請求項１に記載の方法。
【請求項３】
前記集束イオン・ビームのイオンが、Ｘｅ＋、Ａｒ＋、Ｋｒ＋、Ｏ＋、Ｏ２＋、Ｎ＋、Ｎ２＋、ＮＯ＋およびＮＯ２＋からなるグループから選択された、請求項１に記載の方法。
【請求項４】
炭素除去の間、前記集束イオン・ビームが、約２ｋｅＶから約１４ｋｅＶの範囲の非常に低い加速電圧または低い加速電圧で作用する、請求項１に記載の方法。
【請求項５】
前記エッチング支援ガスの化学物質がニトロ酢酸メチルである、請求項１に記載の方法。
【請求項６】
前記炭素に富むポリマー材料が、ポリカーボネート、ポリエステル、ポリエチレン、ポリプロピレン、ポリスチレンおよびポリウレタンからなるグループから選択された、請求項１に記載の方法。
【請求項７】
炭化水素材料で汚染された表面の荷電粒子ビーム洗浄の方法であって、
洗浄のターゲットとされた表面領域に炭素除去前駆体ガスを供給することと、
洗浄のターゲットとされた前記表面領域に向かって荷電粒子ビームを導き、それによって、前記炭素除去前駆体ガスを使用しない場合の除去速度より大きい除去速度で炭化水素汚染物材料を前記表面から除去することと
を含み、
前記炭素除去前駆体ガスが、ニトロ酢酸メチル、酢酸メチル、酢酸エチル、ニトロ酢酸エチル、酢酸プロピル、ニトロ酢酸プロピル、ニトロ酢酸エチル、メトキシ酢酸メチルおよびメトキシアセチルクロリドからなるグループから選択された化学物質を含む
方法。
【請求項８】
前記荷電粒子ビームが集束イオン・ビームである、請求項７に記載の方法。
【請求項９】
前記集束イオン・ビームが、プラズマ集束イオン・ビーム源から生じたものである、請求項８に記載の方法。
【請求項１０】
前記プラズマ集束イオン・ビーム源から生じるイオンが、Ｘｅ＋、Ａｒ＋、Ｋｒ＋、Ｏ＋、Ｏ２＋、Ｎ＋、Ｎ２＋、ＮＯ＋およびＮＯ２＋からなるグループから選択された、請求項９に記載の方法。
【請求項１１】
表面洗浄の間、前記プラズマ集束イオン・ビームが、約２ｋｅＶから約３０ｋｅＶの範囲の加速電圧で作用する、請求項９に記載の方法。
【請求項１２】
表面洗浄の間、前記プラズマ集束イオン・ビームが、約２ｋｅＶから約５ｋｅＶの範囲の加速電圧で作用する、請求項９に記載の方法。
【請求項１３】
前記プラズマ集束イオン・ビーム源から生じるイオンがＸｅ＋イオンである、請求項１２に記載の方法。
【手続補正書】
【提出日】令和2年8月25日(2020.8.25)
【手続補正１】
【補正対象書類名】特許請求の範囲
【補正対象項目名】全文
【補正方法】変更
【補正の内容】
【特許請求の範囲】
【請求項１】
少なくとも1つの出口（224）を備える配線保持トレイ（202）と、
1つまたは複数のばね（518）と、
複数の配線リテーナ（206）と
を備える装置（200）であって、前記複数の配線リテーナ（206）が互いに連結され、かつ前記1つまたは複数のばねと前記配線保持トレイ（202）の前記少なくとも1つの出口（224）のうちの少なくとも1つとに連結され、前記1つまたは複数のばね（518）は、前記配線保持トレイ（202）に対して前記配線リテーナを位置付けるために、1つまたは複数の配線リテーナ（206）に力を加えるように構成され、前記配線リテーナ（206）のうちの少なくとも1つが、配線の少なくとも一部を略真っ直ぐな方向に保持する配線保持機構（314）を備える、装置（200）。
【請求項２】
前記複数の配線リテーナ（206）のうちの少なくとも2つが、延伸形態で第1の距離だけ隔てられ、引っ込み形態で第2の距離だけ隔てられるように構成される、請求項1に記載の装置（200）。
【請求項３】
前記1つまたは複数のばね（518）が、前記2つの配線リテーナ（206）の少なくとも一方に第1の力を作用させて前記少なくとも2つの配線リテーナ（206）を前記延伸形態に移動させるように構成される、請求項2に記載の装置（200）。
【請求項４】
前記配線リテーナ（206）のそれぞれが、垂直開口部（416）および水平開口部（316）をさらに備え、
前記配線保持機構（314）が、少なくとも開放位置と閉鎖位置との間を移動するように構成され、
前記配線保持機構（314）は前記開放位置で、前記配線が前記垂直開口部（416）を通過することができるように構成され、前記配線保持機構（314）は前記閉鎖位置で、前記配線が前記垂直開口部（416）を通過するのを妨げるように構成される、請求項1または2に記載の装置（200）。
【請求項５】
前記配線保持機構（314）は、第1の閾値力より大きい力が前記配線保持機構（314）に加えられたときに前記開放位置に移動するように構成される、請求項4に記載の装置（200）。
【請求項６】
前記配線保持トレイ（202）が、前記配線を略円形に巻く略円形部を備える、請求項1から5のいずれか一項に記載の装置（200）。
【請求項７】
前記複数の配線リテーナ（206）に連結され、かつ前記複数の配線リテーナ（206）を一直線に並べて並進軸線に沿って並進する1つまたは複数のガイド（208）をさらに備える、請求項1から6のいずれか一項に記載の装置（200）。
【請求項８】
前記配線保持機構（314）は、前記複数の配線リテーナ（206）によって保持される配線が第1の軸線に沿って少なくとも並進することができるように構成され、前記並進軸線および前記第1の軸線が略平行である、請求項7に記載の装置（200）。
【請求項９】
請求項1に記載の装置（200）を備えるシステム（100）であって、前記装置（200）が配線駆動機構であり、
前記配線駆動機構（200）と相互作用し前記配線を処理する1つまたは複数の配線処理ステーション（102、104、106、108）
をさらに備える、システム（100）。
【請求項１０】
複数の配線処理ステーション（102、104、106、108）をさらに備え、前記配線駆動機構（200）は、少なくとも、前記配線駆動機構が第1の配線処理ステーションと相互作用することができる第1の処理位置と前記配線駆動機構（200）が第2の配線処理ステーションと相互作用することができる第2の処理位置との間を移動するように構成され、前記第1の配線処理ステーションが前記配線を前記配線駆動機構（200）に供給するように構成される、請求項9に記載のシステム（100）。
【請求項１１】
前記1つまたは複数の配線処理ステーション（102、104、106、108）が、前記配線駆動機構（200）と接触して前記複数の配線リテーナ（206）を引っ込み位置に移動させることによって相互作用するように構成される、請求項9または10に記載のシステム（100）。
【請求項１２】
請求項1に記載の装置（200）を使用する方法であって、前記装置（200）が配線駆動機構であり、
前記配線駆動機構（200）を第1の配線処理ステーションに移動させるステップ（802）と、
前記第1の配線処理ステーション（102）で、配線（906）を前記配線駆動機構（200）に供給するステップ（804）であって、前記配線（906）が、配線リテーナ（206）のうちの1つまたは複数によって前記略真っ直ぐな方向に少なくとも部分的に保持される、ステップ（804）と、
前記配線駆動機構（200）を第2の配線処理ステーション（104）に移動させるステップ（808）と
を含む、方法。
【請求項１３】
前記第2の配線処理ステーション（104）で前記配線（906）に電気部品（908）を供給するステップであって、前記電気部品（908）が前記配線駆動機構（200）のストッパによって止められかつ／または遅くされる、ステップ
をさらに含む、請求項12に記載の方法。
【請求項１４】
前記配線リテーナ（206）のそれぞれが、垂直開口部（416）および水平開口部（316）をさらに備え、
前記配線保持機構（314）に第1の閾値力より大きい力を加えることにより、前記配線駆動機構（200）に配線（906）を供給する前に前記配線保持機構（314）を開放位置に移動させるステップと、
前記配線（906）を前記垂直開口部（416）から前記水平開口部（316）の中にインサートするステップと、
前記配線（906）を前記垂直開口部（416）からインサートした後で前記配線保持機構（314）を閉鎖位置に移動させるステップと
をさらに含む、請求項12または13に記載の方法。
【手続補正書】
【提出日】令和1年12月3日(2019.12.3)
【手続補正１】
【補正対象書類名】明細書
【補正対象項目名】発明の名称
【補正方法】変更
【補正の内容】
【発明の名称】半導体装置
【手続補正２】
【補正対象書類名】特許請求の範囲
【補正対象項目名】全文
【補正方法】変更
【補正の内容】
【特許請求の範囲】
【請求項１】
基板上の第１の導電体と、
前記第１の導電体上の第１の絶縁体と、
前記第１の絶縁体上の酸化物半導体と、
前記酸化物半導体上の第２の絶縁体と、
前記第２の絶縁体上の第２の導電体と、
前記第２の導電体上の第３の絶縁体と、
前記第２の絶縁体の側面、前記第２の導電体の側面、前記第３の絶縁体の側面に接する第４の絶縁体と、
前記酸化物半導体、かつ前記第４の絶縁体に接する第５の絶縁体と、を有し
前記第２の導電体は、
平面視において、第１乃至８の辺を有し、
前記第１の辺と、前記第２の辺は向かい合って位置し、
前記第１の辺は、前記第３の辺と、前記第４の辺と、交差し、
前記第３の辺と、前記第４の辺は向かい合って位置し、
前記第２の辺は、前記第５の辺と、前記第６の辺と、交差し、
前記第５の辺と、前記第６の辺は向かい合って位置し、
前記第４の辺は、前記第７の辺と交差し、
前記第５の辺は、前記第８の辺と交差し、
前記第７の辺と、前記第８の辺は向かい合って位置し、
前記第１の辺と前記第２の辺との距離は、前記第７の辺と前記第８の辺との距離よりも小さい半導体装置。
【請求項２】
請求項１において、
前記酸化物半導体は、Ｉｎと、元素Ｍ（ＭはＡｌ、Ｇａ、Ｙ、またはＳｎ）と、Ｚｎと、を含む半導体装置。
【手続補正書】
【提出日】令和1年11月8日(2019.11.8)
【手続補正１】
【補正対象書類名】明細書
【補正対象項目名】０００３
【補正方法】変更
【補正の内容】
【０００３】ＵＦＯの原理で浮きホーバー（ヘイバー）のエンジンと核融合プラズマで進むアメリカ航空宇宙局  ソビエト航空宇宙局  ドイツ航空宇宙局  フランス航空宇宙局  ホノルル航空宇宙局  ノルウェー航空宇宙局
【手続補正２】
【補正対象書類名】明細書
【補正対象項目名】０００４
【補正方法】変更
【補正の内容】
【０００４】アメリカのシャトル  ソビエトのシャトルフスキー（ブラン）
【手続補正書】
【提出日】令和2年4月16日(2020.4.16)
【手続補正１】
【補正対象書類名】特許請求の範囲
【補正対象項目名】全文
【補正方法】変更
【補正の内容】
【特許請求の範囲】
【請求項１】
遊技者の有利度に対応する設定値を設定する設定手段と、
当該設定手段による前記設定値の設定を行うことが可能な設定可能状況となるようにする状況発生手段と、
を備えていることを特徴とする遊技機。
【手続補正２】
【補正対象書類名】明細書
【補正対象項目名】０００７
【補正方法】変更
【補正の内容】
【０００７】
上記課題を解決すべく請求項１記載の発明は、遊技者の有利度に対応する設定値を設定する設定手段と、
当該設定手段による前記設定値の設定を行うことが可能な設定可能状況となるようにする状況発生手段と、
を備えていることを特徴とする。
【手続補正書】
【提出日】令和2年2月5日(2020.2.5)
【手続補正１】
【補正対象書類名】特許請求の範囲
【補正対象項目名】全文
【補正方法】変更
【補正の内容】
【特許請求の範囲】
【請求項１】
動作を可能な身体支持装置と、
前記身体支持装置と有線で接続され、前記身体支持装置の動作を制御する第１端末装置と、
前記第１端末装置とは別の装置であって、前記身体支持装置と無線接続され、前記身体支持装置の動作を制御する第２端末装置と、
を備える身体支持システム。
【請求項２】
前記身体支持装置は、前記身体支持装置の状態を検出可能な検出部を含み、
前記身体支持装置と前記第２端末装置が通信を確立したのち、前記身体支持装置の状態に関する情報を前記身体支持装置は、前記第２端末装置に送信する、請求項１記載の身体支持システム。
【請求項３】
前記第２端末装置は、前記身体支持装置に関する設定情報を保持し、
前記設定情報は、頭速度情報、高さ速度情報、連動可否情報、頭動作可否情報、足動作可否情報、高さ動作可否情報、及び、離床通知可否情報の少なくとも１つを含む、請求項１または請求項２記載の身体支持システム。
【請求項４】
前記第２端末装置は、前記身体支持装置の動作を制御する操作子を表示する表示部を含み、
前記身体支持装置は、第１動作及び第２動作が可能であり、外部からの指示に基づいて、前記第１動作を制御する第１操作子および前記第２動作を制御する第２操作子を前記表示部に表示する第１表示形式と、前記第１操作子および前記第２操作子のいずれか一方を前記表示部に表示する第２表示形式とを切り替える
請求項１乃至請求項３いずれか１項に記載の身体支持システム。
【手続補正書】
【提出日】令和2年6月20日(2020.6.20)
【手続補正１】
【補正対象書類名】特許請求の範囲
【補正対象項目名】全文
【補正方法】変更
【補正の内容】
【特許請求の範囲】
【請求項１】
第1パイロットキャリアと第１データキャリアとを、時間方向および周波数方向に、配置して第１ＯＦＤＭ信号を生成する第１ＯＦＤＭ信号生成回路と、
前記第１ＯＦＤＭ信号を送出する第１送信手段と、を含み、
前記第１パイロットキャリアは、帯域の下端と前記帯域の上端とに配置されると共に、前記帯域の前記下端と前記帯域の前記上端との間に分散して配置される、
ＯＦＤＭ送信機。
【請求項２】
請求項１に記載のＯＦＤＭ送信機と、
前記第１送信手段から送出された前記第１ＯＦＤＭ信号を受ける受信手段を有する受信機と、を含む、
ＯＦＤＭ送受信システム。
【請求項３】
請求項１に記載のＯＦＤＭ送信機と、
受信手段を有する受信機と、を含み、
前記ＯＦＤＭ送信機は、
第２パイロットキャリアと第２データキャリアとを、時間方向および周波数方向に、配置して第２ＯＦＤＭ信号を生成する第２ＯＦＤＭ信号生成回路と、
前記第２ＯＦＤＭ信号を送出する第２送信手段と、を含み、
前記第２パイロットキャリアは、帯域の下端と前記帯域の上端とに配置されると共に、前記帯域の前記下端と前記帯域の前記上端との間に分散して配置される、
ＯＦＤＭ送受信システム。
【請求項４】
請求項１において、
前記時間方向の前記第1パイロットキャリアの間隔をＴ（Ｔは正の整数）とし、
前記周波数方向の前記第1パイロットキャリアの間隔をＦ（Ｆは正の整数）とし、
前記周波数方向の前記第1パイロットキャリアの間隔Ｆで構成されるキャリアグループをパイロットグループとし、
帯域全体に設ける前記パイロットグループの数をＢ（Ｂは正の整数）とし、次式
ＢＦ＋２＋（Ｆ／Ｔ−１）を満たす、
ＯＦＤＭ送信機。
【請求項５】
請求項４に記載のＯＦＤＭ送信機と、
受信手段を有する受信機と、を含む、
ＯＦＤＭ送受信システム。
【手続補正書】
【提出日】令和2年8月3日(2020.8.3)
【手続補正１】
【補正対象書類名】特許請求の範囲
【補正対象項目名】全文
【補正方法】変更
【補正の内容】
【特許請求の範囲】
【請求項１】
入射光量に応じて電荷を発生する光電変換手段と、
前記電荷を蓄積する電荷蓄積容量と、
前記電荷蓄積容量に蓄積された電荷量に応じた電圧を増幅して光信号を出力する増幅手段と、
をそれぞれ含む、複数の画素回路と、
前記増幅手段からの光信号と参照信号とを比較して比較結果を出力する比較手段を含む、複数のＡＤ変換手段と、
前記増幅手段のゲインをそれぞれ設定する、複数のゲイン設定手段と、
を備え、
前記ゲイン設定手段は、前記画素回路ごとに、各画素回路に対応する前記比較手段の比較結果に基づいて、前記増幅手段のゲインを設定することを特徴とする撮像素子。
【請求項２】
前記各画素回路は、前記電荷蓄積容量と並列に設けられた付加容量と、前記付加容量を前記電荷蓄積容量に接続／切り離すためのスイッチとを有し、
前記ゲイン設定手段は、前記スイッチを制御することにより、前記付加容量と前記電荷蓄積容量との接続を制御することで、前記増幅手段のゲインを設定することを特徴とする請求項１に記載の撮像素子。
【請求項３】
前記各画素回路は、前記電荷蓄積容量と並列に設けられた複数の付加容量と、前記複数の付加容量をそれぞれ前記電荷蓄積容量に接続／切り離すための複数のスイッチとを有し、
前記ゲイン設定手段は、前記スイッチを制御することにより、前記複数の付加容量それぞれと前記電荷蓄積容量との接続を制御することで、前記増幅手段のゲインを設定することを特徴とする請求項１に記載の撮像素子。
【請求項４】
前記ゲイン設定手段は、前記付加容量を接続することで、切り離している場合よりも前記増幅手段のゲインを低くすることを特徴とする請求項２または３に記載の撮像素子。
【請求項５】
前記各画素回路は、前記電荷蓄積容量と並列に設けられた、容量を連続的に変更可能な付加容量を有し、
前記ゲイン設定手段は、前記付加容量の容量を制御することで、前記増幅手段のゲインを設定することを特徴とする請求項１に記載の撮像素子。
【請求項６】
前記ゲイン設定手段は、前記付加容量の容量をより大きくすることで、前記増幅手段のゲインをより小さくすることを特徴とする請求項５に記載の撮像素子。
【請求項７】
前記ゲイン設定手段は、前記光信号が前記参照信号よりも小さい場合に、前記ゲインを小さくすることを特徴とする請求項１乃至６のいずれか１項に記載の撮像素子。
【請求項８】
前記電荷蓄積容量をリセットした時の信号を、前記ゲイン設定手段により予め決められたゲインが設定された前記増幅手段で増幅して出力されたリセット信号と、前記光信号と、をそれぞれ前記ＡＤ変換手段によりＡＤ変換した信号と、前記設定されたゲインを示す情報と、を出力するように制御する制御手段を更に有することを特徴とする請求項１乃至４のいずれか１項に記載の撮像素子。
【請求項９】
前記電荷蓄積容量をリセットした時の信号を、前記ゲイン設定手段により設定可能な複数の前記ゲインそれぞれにより前記増幅手段で増幅して出力された複数のリセット信号と、前記光信号と、をそれぞれ前記ＡＤ変換手段によりＡＤ変換した信号と、前記設定されたゲインを示す情報と、を出力するように制御する制御手段を更に有することを特徴とする請求項１乃至４のいずれか１項に記載の撮像素子。
【請求項１０】
前記ＡＤ変換手段と、前記ゲイン設定手段は、予め決められた数の画素回路ごとにそれぞれ配置されていることを特徴とする請求項１乃至９のいずれか１項に記載の撮像素子。
【請求項１１】
前記複数の画素回路は行列状に配置され、
前記ＡＤ変換手段と、前記ゲイン設定手段は、各列に対応してそれぞれ配置されていることを特徴とする請求項１０に記載の撮像素子。
【請求項１２】
前記複数の画素回路と、前記複数のＡＤ変換手段及び前記複数のゲイン設定手段とが、互いに異なる複数の基板に配置されていることを特徴とする請求項１乃至１１のいずれか１項に記載の撮像素子。
【請求項１３】
請求項１乃至１２のいずれか１項に記載の撮像素子と、
前記撮像素子から出力された光信号に対して、前記設定されたゲインを示す情報とに基づいて、前記複数の画素回路に対応する光信号のゲインが一律になるようにゲイン補正する補正手段と
を有することを特徴とする撮像装置。
【請求項１４】
前記補正手段は、前記電荷蓄積容量をリセットした時の信号を、前記ゲイン設定手段によりゲインが設定された前記増幅手段で増幅して出力されたリセット信号に基づいて、前記各画素回路の前記光信号のノイズを更に補正することを特徴とする請求項１３に記載の撮像装置。
【手続補正書】
【提出日】令和2年2月26日(2020.2.26)
【手続補正１】
【補正対象書類名】特許請求の範囲
【補正対象項目名】全文
【補正方法】変更
【補正の内容】
【特許請求の範囲】
【請求項１】
所定条件の成立により抽選を行い、該抽選の結果が当りの場合に遊技者に所定の利益を付与する遊技機であって、
遊技機の背面側に設けられ、遊技の進行を制御する主制御ＭＰＵを有する主制御部と、
該主制御部に設けられると共に、前記抽選の当り確率に関する設定値を設定可能な管理者操作手段と、
該管理者操作手段の少なくとも一部を覆って前記設定値の設定操作を困難にする第１状態と、前記第１状態で覆われていた前記管理者操作手段を露呈させて前記設定値の設定操作を容易にする第２状態と、に変化可能な設定操作抑制手段と、
該設定操作抑制手段を前記第１状態で保持し且つその保持を特定の解除操作によって解除し得るようにした第１状態保持手段と、を備えてなることを特徴とする遊技機。
【手続補正２】
【補正対象書類名】明細書
【補正対象項目名】０００５
【補正方法】変更
【補正の内容】
【０００５】
本発明は、上記に鑑みなされたものであり、不正行為を困難にすることを課題とするものである。  
【手続補正３】
【補正対象書類名】明細書
【補正対象項目名】０００６
【補正方法】変更
【補正の内容】
【０００６】
本発明は、
所定条件の成立により抽選を行い、該抽選の結果が当りの場合に遊技者に所定の利益を付与する遊技機であって、
遊技機の背面側に設けられ、遊技の進行を制御する主制御ＭＰＵを有する主制御部と、
該主制御部に設けられると共に、前記抽選の当り確率に関する設定値を設定可能な管理者操作手段と、
該管理者操作手段の少なくとも一部を覆って前記設定値の設定操作を困難にする第１状態と、前記第１状態で覆われていた前記管理者操作手段を露呈させて前記設定値の設定操作を容易にする第２状態と、に変化可能な設定操作抑制手段と、
該設定操作抑制手段を前記第１状態で保持し且つその保持を特定の解除操作によって解除し得るようにした第１状態保持手段と、を備えてなることを特徴とする。
また、上記の目的を達成するための別の解決手段として以下の手段を参考的に例示する。
（解決手段１）
所定条件の成立により抽選を行い、該抽選の結果が当りの場合に遊技者に所定の利益を付与する遊技機であって、
遊技機の背面側に設けられ、遊技の進行を制御する主制御ＭＰＵを有する主制御部と、
該主制御部に設けられると共に、前記抽選の当り確率に関する遊技設定を複数段階のうちのいずれかに変更し得る変更操作手段と、
該変更操作手段の少なくとも一部を覆って前記遊技設定の変更操作を困難にする第１状態と、前記第１状態で覆われていた前記変更操作手段を露呈させて前記遊技設定の変更操作を可能にする第２状態と、に変化可能な変更抑制手段と、
該変更抑制手段を前記第１状態で保持し且つその保持を特定の解除操作によって解除し得るようにした第１状態保持手段と、を備えてなることを特徴とする遊技機。
【手続補正４】
【補正対象書類名】明細書
【補正対象項目名】００１６
【補正方法】変更
【補正の内容】
【００１６】
本発明によれば、不正行為を困難にすることができる。
【手続補正書】
【提出日】令和2年7月29日(2020.7.29)
【手続補正１】
【補正対象書類名】特許請求の範囲
【補正対象項目名】全文
【補正方法】変更
【補正の内容】
【特許請求の範囲】
【請求項１】
始動レバー、停止ボタン、及びベットボタンが接続されている主制御装置と、枠制御装置とを備え、前記主制御装置は前記枠制御装置から予め定められた特定情報を受信できない回胴式遊技機であって、
前記始動レバー及び前記ベットボタンがそれぞれ操作される度に、前記始動レバーの操作に伴う役抽選の結果に対応する信号、及び前記ベットボタンの操作に伴う減算対象の持ち遊技媒体数に対応する信号を前記主制御装置から前記枠制御装置に送信するデータ送信手段と、
前記枠制御装置は、前記持ち遊技媒体数を記憶する記憶手段と、前記データ送信手段から受信したデータに応じて、前記記憶手段に記憶されている前記持ち遊技媒体数を更新するデータ更新手段と、を有し、
前記枠制御装置は、ゲーム開始後に前記停止ボタンの操作に伴う図柄の停止態様に基づく増算対象の前記持ち遊技媒体数に対応する信号を受信した場合に、当該ゲームにおいて前記始動レバーの操作に伴う役抽選の結果に対応する信号を受信したか否かを判定し、当該ゲームにおいて前記始動レバーの操作に伴う役抽選の結果に対応する信号を受信していないと判定した場合には、前記停止ボタンの操作に伴う図柄の停止態様に基づく増算対象の前記持ち遊技媒体数に対応する信号に基づいて前記持ち遊技媒体数を増算する処理を、実行しないことを特徴とする回胴式遊技機。
【手続補正２】
【補正対象書類名】明細書
【補正対象項目名】０００７
【補正方法】変更
【補正の内容】
【０００７】
一方、主制御装置と枠制御装置とが双方向通信可能な従来構成では、該主制御装置が、入賞口や始動口への入球を検知した情報と、枠制御装置から受信する賞球などの情報とに基づいて、遊技が正常に進行しているか否かを確認し、異常があった場合には所定の対応を行う処理手段を備えていた。しかしながら、上述したように、特定情報を主制御装置が受信できない構成とすると、遊技が正常に進行しているか否かを確認することができない虞がある。
この虞は、回胴式遊技機でも同様である。
【手続補正３】
【補正対象書類名】明細書
【補正対象項目名】０００９
【補正方法】変更
【補正の内容】
【０００９】
本発明の関連発明は、始動レバー、停止ボタン、及びベットボタンが接続されている主制御装置と、枠制御装置とを備え、前記主制御装置は前記枠制御装置から予め定められた情報を受信できない回胴式遊技機であって、
前記始動レバー及び前記ベットボタンがそれぞれ操作される度に、前記始動レバーの操作に伴う役抽選の結果に対応する信号、及び前記ベットボタンの操作に伴う減算対象の持ち遊技媒体数に対応する信号を前記主制御装置から前記枠制御装置に送信するデータ送信手段と、
前記枠制御装置は、前記持ち遊技媒体数を記憶する記憶手段と、前記データ送信手段から受信したデータに応じて、前記記憶手段に記憶されている前記持ち遊技媒体数を更新するデータ更新手段と、を有し、
前記枠制御装置には、警告情報を遊技者に報知する警告情報報知手段が接続されており、
前記枠制御装置は、当該枠制御装置に記憶されている前記持ち遊技媒体数が零である持ち遊技媒体数零状態で、前記ベットボタンの操作に伴う減算対象の前記持ち遊技媒体数に対応する信号を受信すると、前記警告情報報知手段を介して第一の警告情報を報知する第一の警告情報報知処理を実行することを特徴とする回胴式遊技機である。
【手続補正４】
【補正対象書類名】明細書
【補正対象項目名】００１０
【補正方法】変更
【補正の内容】
【００１０】
ここで、「予め定められた特定情報を受信できなく」とは、主制御装置から送信された情報を枠制御装置が受信可能であるが、枠制御装置から主制御装置は特定情報を受信不能であることを示す。これは、枠制御装置が特定情報を送信できない構成、主制御装置が特定情報を受信拒否する構成により具現化できる。主制御装置が特定情報を受信拒否する構成とは、受信しても使用できない構成も含む。少なくとも特定情報を受信不能とするので、特定情報以外の情報は、受信可能でも不可能でも良い。
また、遊技媒体としては、コイン（メダル）が採用可能であり、持ち遊技媒体数とは、例えば持ちコイン数であり、ＩＣカードやＲＡＭ等の記憶媒体に記憶されたコイン数である。
【手続補正５】
【補正対象書類名】明細書
【補正対象項目名】００１８
【補正方法】変更
【補正の内容】
【００１８】
請求項１に記載の本発明は、  始動レバー、停止ボタン、及びベットボタンが接続されている主制御装置と、枠制御装置とを備え、前記主制御装置は前記枠制御装置から予め定められた特定情報を受信できない回胴式遊技機であって、
前記始動レバー及び前記ベットボタンがそれぞれ操作される度に、前記始動レバーの操作に伴う役抽選の結果に対応する信号、及び前記ベットボタンの操作に伴う減算対象の持ち遊技媒体数に対応する信号を前記主制御装置から前記枠制御装置に送信するデータ送信手段と、
前記枠制御装置は、前記持ち遊技媒体数を記憶する記憶手段と、前記データ送信手段から受信したデータに応じて、前記記憶手段に記憶されている前記持ち遊技媒体数を更新するデータ更新手段と、を有し、
前記枠制御装置は、ゲーム開始後に前記停止ボタンの操作に伴う図柄の停止態様に基づく増算対象の前記持ち遊技媒体数に対応する信号を受信した場合に、当該ゲームにおいて前記始動レバーの操作に伴う役抽選の結果に対応する信号を受信したか否かを判定し、当該ゲームにおいて前記始動レバーの操作に伴う役抽選の結果に対応する信号を受信していないと判定した場合には、前記停止ボタンの操作に伴う図柄の停止態様に基づく増算対象の前記持ち遊技媒体数に対応する信号に基づいて前記持ち遊技媒体数を増算する処理を、実行しないことを特徴とする回胴式遊技機である。
【手続補正６】
【補正対象書類名】明細書
【補正対象項目名】００２０
【補正方法】削除
【補正の内容】
【手続補正７】
【補正対象書類名】明細書
【補正対象項目名】００２１
【補正方法】削除
【補正の内容】
【手続補正書】
【提出日】令和2年8月25日(2020.8.25)
【手続補正１】
【補正対象書類名】特許請求の範囲
【補正対象項目名】全文
【補正方法】変更
【補正の内容】
【特許請求の範囲】
【請求項１】
所定条件の成立に基づいて識別情報の変動表示を行い、識別情報の変動表示の表示結果が特定表示結果になることに基づいて、遊技者にとって有利な特別遊技状態に制御可能な遊技機であって、
遊技球が流下可能な遊技領域と、
前記遊技領域のうち所定の領域を流下する遊技球が入球可能となるように設けられた大入賞口と、
前記特別遊技状態において前記大入賞口への遊技球の入球が可能となるラウンド遊技を複数回実行可能なラウンド遊技実行手段と、
前記特別遊技状態において前記大入賞口への入球に関する入球情報を表示可能な入球情報表示手段と、
遊技球の発射方向を指示する発射方向情報を表示可能な発射方向情報表示手段と、を備え、
前記発射方向情報表示手段は、前記発射方向情報として、前記所定の領域に向けて遊技球を発射することを指示する情報を、少なくとも、前記特別遊技状態の開始から終了まで表示することが可能であり、
前記入球情報表示手段は、前記入球情報として、前記大入賞口への入球に基づいて遊技者に付与される遊技利益の量を認識可能とする情報を表示し、その情報の表示態様を、前記大入賞口への入球に基づいて変化させて表示することが可能である
ことを特徴とする遊技機。
【請求項２】
前記入球情報表示手段は、前記入球情報として、さらに、１回の前記ラウンド遊技における前記大入賞口への入球数を認識可能とする情報を表示し、その情報の表示態様を、前記大入賞口への入球に基づいて変化させるとともに、前記ラウンド遊技の終了から所定時間が経過したことに基づいて初期表示態様として表示することが可能である
ことを特徴とする請求項１に記載の遊技機。
【請求項３】
前記特別遊技状態において複数回の前記ラウンド遊技を実行するにあたり、前のラウンド遊技の終了から次のラウンド遊技の開始までの間に所定のインターバル時間が設けられており、
前記所定時間は前記インターバル時間以下である
ことを特徴とする請求項２に記載の遊技機。
【手続補正２】
【補正対象書類名】明細書
【補正対象項目名】０００６
【補正方法】変更
【補正の内容】
【０００６】
前述の課題を解決するために、本発明は以下の構成を採用した。
（１）手段１の遊技機は、
所定条件の成立に基づいて識別情報の変動表示を行い、識別情報の変動表示の表示結果が特定表示結果になることに基づいて、遊技者にとって有利な特別遊技状態に制御可能な遊技機であって、
遊技球が流下可能な遊技領域と、
前記遊技領域のうち所定の領域を流下する遊技球が入球可能となるように設けられた大入賞口と、
前記特別遊技状態において前記大入賞口への遊技球の入球が可能となるラウンド遊技を複数回実行可能なラウンド遊技実行手段と、
前記特別遊技状態において前記大入賞口への入球に関する入球情報を表示可能な入球情報表示手段と、
遊技球の発射方向を指示する発射方向情報を表示可能な発射方向情報表示手段と、を備え、
前記発射方向情報表示手段は、前記発射方向情報として、前記所定の領域に向けて遊技球を発射することを指示する情報を、少なくとも、前記特別遊技状態の開始から終了まで表示することが可能であり、
前記入球情報表示手段は、前記入球情報として、前記大入賞口への入球に基づいて遊技者に付与される遊技利益の量を認識可能とする情報を表示し、その情報の表示態様を、前記大入賞口への入球に基づいて変化させて表示することが可能である
ことを要旨とする。
（２）手段２の遊技機は、手段１の遊技機において、
前記入球情報表示手段は、前記入球情報として、さらに、１回の前記ラウンド遊技における前記大入賞口への入球数を認識可能とする情報を表示し、その情報の表示態様を、前記大入賞口への入球に基づいて変化させるとともに、前記ラウンド遊技の終了から所定時間が経過したことに基づいて初期表示態様として表示することが可能である
ことを要旨とする。
（３）手段３の遊技機は、手段２の遊技機において、
前記特別遊技状態において複数回の前記ラウンド遊技を実行するにあたり、前のラウンド遊技の終了から次のラウンド遊技の開始までの間に所定のインターバル時間が設けられており、
前記所定時間は前記インターバル時間以下である
ことを要旨とする。
【手続補正書】
【提出日】令和2年8月25日(2020.8.25)
【手続補正１】
【補正対象書類名】特許請求の範囲
【補正対象項目名】全文
【補正方法】変更
【補正の内容】
【特許請求の範囲】
【請求項１】
所定条件の成立に基づいて識別情報の変動表示を行い、前記識別情報の変動表示の表示結果として特定表示結果が導出されたことに基づいて、遊技者にとって有利な特別遊技が実行可能となる遊技機であって、
演出の実行を制御する演出制御手段を備え、
前記演出制御手段は、
前記識別情報の変動表示の表示結果として前記特定表示結果が導出されることとなる特定変動の実行中に、当該特定変動の終了後の遊技に関する情報を結果として報知する特定演出を開始可能である、ことを特徴とする遊技機。
【請求項２】
前記演出制御手段は、
前記特定演出として、前記特定変動の実行中に第１特定演出を実行すると共に、当該特定変動に対応する前記特別遊技の実行中に第２特定演出を実行することが可能であり、
前記第１特定演出を実行して前記第２特定演出を実行しない場合と、前記第１特定演出を実行して前記第２特定演出を実行する場合と、がある、ことを特徴とする請求項１に記載の遊技機。
【請求項３】
前記特別遊技が終了した後の遊技状態には、第１遊技状態と、当該第１遊技状態よりも遊技者に有利な第２遊技状態と、があり、
前記演出制御手段は、
前記特別遊技の終了後の遊技状態が前記第１遊技状態となる場合、前記第１特定演出を所定演出パターンで実行した後に前記第２特定演出を実行しないときと、前記第１特定演出を前記所定演出パターンとは異なる他の演出パターンで実行した後に前記第２特定演出を所定の第１演出パターンで実行するときと、があり、
前記特別遊技の終了後の遊技状態が前記第２遊技状態となる場合、前記第１特定演出を前記他の演出パターンで実行した後に前記第２特定演出を所定の第２演出パターンで実行するときがある、ことを特徴とする請求項２に記載の遊技機。
【請求項４】
前記特別遊技には、第１特別遊技と、当該第１特別遊技よりも遊技者に有利な第２特別遊技と、があり、
前記演出制御手段は、
前記第１特定演出を実行して前記第２特定演出を実行する場合であって、前記特定変動終了後に実行される特別遊技が前記第１特別遊技である場合、前記第２特定演出を所定の第３演出パターンで実行するときがある、ことを特徴とする請求項２または３に記載の遊技機。
【請求項５】
前記演出制御手段は、
前記第１特定演出を実行して前記第２特定演出を実行する場合、前記第１特定演出と前記第２特定演出との間で所定の繋ぎ演出を実行可能である、ことを特徴とする請求項２から４のいずれかに記載の遊技機。
【手続補正２】
【補正対象書類名】明細書
【補正対象項目名】０００６
【補正方法】変更
【補正の内容】
【０００６】
前述の課題を解決するために、本発明は以下の構成を採用した。
すなわち、手段１の遊技機は、
所定条件の成立に基づいて識別情報の変動表示を行い、前記識別情報の変動表示の表示結果として特定表示結果が導出されたことに基づいて、遊技者にとって有利な特別遊技が実行可能となる遊技機であって、
演出の実行を制御する演出制御手段を備え、
前記演出制御手段は、
前記識別情報の変動表示の表示結果として前記特定表示結果が導出されることとなる特定変動の実行中に、当該特定変動の終了後の遊技に関する情報を結果として報知する特定演出を開始可能である、ことを要旨とする。
手段２の遊技機は、手段１の遊技機において、
前記演出制御手段は、
前記特定演出として、前記特定変動の実行中に第１特定演出を実行すると共に、当該特定変動に対応する前記特別遊技の実行中に第２特定演出を実行することが可能であり、
前記第１特定演出を実行して前記第２特定演出を実行しない場合と、前記第１特定演出を実行して前記第２特定演出を実行する場合と、がある、ことを要旨とする。
手段３の遊技機は、手段２の遊技機において、
前記特別遊技が終了した後の遊技状態には、第１遊技状態と、当該第１遊技状態よりも遊技者に有利な第２遊技状態と、があり、
前記演出制御手段は、
前記特別遊技の終了後の遊技状態が前記第１遊技状態となる場合、前記第１特定演出を所定演出パターンで実行した後に前記第２特定演出を実行しないときと、前記第１特定演出を前記所定演出パターンとは異なる他の演出パターンで実行した後に前記第２特定演出を所定の第１演出パターンで実行するときと、があり、
前記特別遊技の終了後の遊技状態が前記第２遊技状態となる場合、前記第１特定演出を前記他の演出パターンで実行した後に前記第２特定演出を所定の第２演出パターンで実行するときがある、ことを要旨とする。
手段４の遊技機は、手段２または手段３の遊技機において、
前記特別遊技には、第１特別遊技と、当該第１特別遊技よりも遊技者に有利な第２特別遊技と、があり、
前記演出制御手段は、
前記第１特定演出を実行して前記第２特定演出を実行する場合であって、前記特定変動終了後に実行される特別遊技が前記第１特別遊技である場合、前記第２特定演出を所定の第３演出パターンで実行するときがある、ことを要旨とする。
手段５の遊技機は、手段２から手段４のいずれかの遊技機において、
前記演出制御手段は、
前記第１特定演出を実行して前記第２特定演出を実行する場合、前記第１特定演出と前記第２特定演出との間で所定の繋ぎ演出を実行可能である、ことを要旨とする。
【手続補正書】
【提出日】令和2年8月25日(2020.8.25)
【手続補正１】
【補正対象書類名】特許請求の範囲
【補正対象項目名】全文
【補正方法】変更
【補正の内容】
【特許請求の範囲】
【請求項１】
所定条件の成立に基づいて識別情報の変動表示を行い、前記識別情報の変動表示の表示結果として特定表示結果が導出されたことに基づいて、遊技者にとって有利な特別遊技が実行可能となる遊技機であって、
演出の実行を制御する演出制御手段を備え、
前記演出制御手段は、
前記識別情報の変動表示の表示結果として前記特定表示結果が導出されることとなる特定変動の終了後の遊技に関する情報を結果として報知する特定演出を実行可能であり、
前記特定変動の実行中に前記特定演出を開始し、当該特定変動に対応する前記特別遊技の開始後まで前記特定演出を実行することがある、ことを特徴とする遊技機。
【請求項２】
前記特定演出には複数の演出パターンがあり、
前記演出制御手段は、
前記特定変動の実行中に開始した前記特定演出を第１演出パターンで実行した場合、当該特定変動に対応する前記特別遊技の開始前に前記特定演出を終了し、
前記特定変動の実行中に開始した前記特定演出を第２演出パターンで実行した場合、当該特定変動に対応する前記特別遊技の開始後に前記特定演出を終了する、ことを特徴とする請求項１に記載の遊技機。
【請求項３】
前記特定演出は、前記特定変動に対応する前記特別遊技が終了した後の遊技状態に関する示唆を行う演出である、ことを特徴とする請求項１または２に記載の遊技機。
【請求項４】
前記特別遊技が終了した後の遊技状態には、第１遊技状態と、当該第１遊技状態よりも遊技者に有利な第２遊技状態と、があり、
前記演出制御手段は、
前記特定変動に対応する前記特別遊技の終了後に前記第１遊技状態で遊技が制御される場合、当該特定変動の実行中に開始した前記特定演出を前記第１遊技状態に対応する所定の演出パターンで実行し、当該特定変動に対応する前記特別遊技の開始前に実行中の特定演出を終了する、ことを特徴とする請求項１から３のいずれかに記載の遊技機。
【請求項５】
前記演出制御手段は、
前記特定変動の実行中に開始した前記特定演出を当該特定変動に対応する前記特別遊技の開始後に終了する場合、当該特別遊技の終了後に前記第１遊技状態で遊技が制御される場合と前記第２遊技状態で遊技が制御される場合とのどちらの場合にも対応する演出パターンで前記特定演出を実行するときと、当該特別遊技の終了後に前記第２遊技状態で遊技が制御される場合に対応する演出パターンで前記特定演出を実行するときと、がある、ことを特徴とする請求項４に記載の遊技機。
【手続補正２】
【補正対象書類名】明細書
【補正対象項目名】０００６
【補正方法】変更
【補正の内容】
【０００６】
前述の課題を解決するために、本発明は以下の構成を採用した。
すなわち、手段１の遊技機は、
所定条件の成立に基づいて識別情報の変動表示を行い、前記識別情報の変動表示の表示結果として特定表示結果が導出されたことに基づいて、遊技者にとって有利な特別遊技が実行可能となる遊技機であって、
演出の実行を制御する演出制御手段を備え、
前記演出制御手段は、
前記識別情報の変動表示の表示結果として前記特定表示結果が導出されることとなる特定変動の終了後の遊技に関する情報を結果として報知する特定演出を実行可能であり、
前記特定変動の実行中に前記特定演出を開始し、当該特定変動に対応する前記特別遊技の開始後まで前記特定演出を実行することがある、ことを要旨とする。
手段２の遊技機は、手段１の遊技機において、
前記特定演出には複数の演出パターンがあり、
前記演出制御手段は、
前記特定変動の実行中に開始した前記特定演出を第１演出パターンで実行した場合、当該特定変動に対応する前記特別遊技の開始前に前記特定演出を終了し、
前記特定変動の実行中に開始した前記特定演出を第２演出パターンで実行した場合、当該特定変動に対応する前記特別遊技の開始後に前記特定演出を終了する、ことを要旨とする。
手段３の遊技機は、手段１または手段２の遊技機において、
前記特定演出は、前記特定変動に対応する前記特別遊技が終了した後の遊技状態に関する示唆を行う演出である、ことを要旨とする。
手段４の遊技機は、手段１から手段３のいずれかの遊技機において、
前記特別遊技が終了した後の遊技状態には、第１遊技状態と、当該第１遊技状態よりも遊技者に有利な第２遊技状態と、があり、
前記演出制御手段は、
前記特定変動に対応する前記特別遊技の終了後に前記第１遊技状態で遊技が制御される場合、当該特定変動の実行中に開始した前記特定演出を前記第１遊技状態に対応する所定の演出パターンで実行し、当該特定変動に対応する前記特別遊技の開始前に実行中の特定演出を終了する、ことを要旨とする。
手段５の遊技機は、手段４の遊技機において、
前記演出制御手段は、
前記特定変動の実行中に開始した前記特定演出を当該特定変動に対応する前記特別遊技の開始後に終了する場合、当該特別遊技の終了後に前記第１遊技状態で遊技が制御される場合と前記第２遊技状態で遊技が制御される場合とのどちらの場合にも対応する演出パターンで前記特定演出を実行するときと、当該特別遊技の終了後に前記第２遊技状態で遊技が制御される場合に対応する演出パターンで前記特定演出を実行するときと、がある、ことを要旨とする。
【手続補正書】
【提出日】令和2年8月25日(2020.8.25)
【手続補正１】
【補正対象書類名】特許請求の範囲
【補正対象項目名】全文
【補正方法】変更
【補正の内容】
【特許請求の範囲】
【請求項１】
所定条件の成立に基づいて識別情報の変動表示を行い、識別情報の変動表示の表示結果が特定表示結果になることに基づいて、遊技者にとって有利な特別遊技状態に制御可能な遊技機であって、
遊技球が流下可能な遊技領域と、
前記遊技領域のうち所定の領域を流下する遊技球が入球可能となるように設けられた大入賞口と、
前記特別遊技状態において前記大入賞口への遊技球の入球が可能となるラウンド遊技を複数回実行可能なラウンド遊技実行手段と、
前記特別遊技状態においてラウンド遊技の進行に関するラウンド情報を表示可能なラウンド情報表示手段と、
遊技球の発射方向を指示する発射方向情報を表示可能な発射方向情報表示手段と、を備え、
前記発射方向情報表示手段は、前記発射方向情報として、前記所定の領域に向けて遊技球を発射することを指示する情報を、少なくとも、前記特別遊技状態の開始から終了まで表示することが可能であり、
前記ラウンド情報表示手段は、複数回の前記ラウンド遊技の初回から最終回にかけて前記ラウンド情報を表示するとともに、その表示態様を前記ラウンド遊技の終了毎に変化させて表示することが可能である
ことを特徴とする遊技機。
【請求項２】
前記特別遊技状態において前記大入賞口への入球に関する入球情報を表示可能な入球情報表示手段を備え、
前記入球情報表示手段は、前記入球情報として、前記大入賞口への入球に基づいて遊技者に付与される遊技利益の量を認識可能とする情報を表示し、その情報の表示態様を、前記大入賞口への入球に基づいて変化させて表示することが可能である
ことを特徴とする請求項１に記載の遊技機。
【請求項３】
前記入球情報表示手段は、前記入球情報として、さらに、１回の前記ラウンド遊技における前記大入賞口への入球数を認識可能とする情報を表示し、その情報の表示態様を、前記大入賞口への入球に基づいて変化させるとともに、前記ラウンド遊技の終了後であって前記ラウンド情報の表示態様が変化した後に初期表示態様として表示することが可能である
ことを特徴とする請求項２に記載の遊技機。
【手続補正２】
【補正対象書類名】明細書
【補正対象項目名】０００６
【補正方法】変更
【補正の内容】
【０００６】
前述の課題を解決するために、本発明は以下の構成を採用した。
すなわち、手段１の遊技機は、
所定条件の成立に基づいて識別情報の変動表示を行い、識別情報の変動表示の表示結果が特定表示結果になることに基づいて、遊技者にとって有利な特別遊技状態に制御可能な遊技機であって、
遊技球が流下可能な遊技領域と、
前記遊技領域のうち所定の領域を流下する遊技球が入球可能となるように設けられた大入賞口と、
前記特別遊技状態において前記大入賞口への遊技球の入球が可能となるラウンド遊技を複数回実行可能なラウンド遊技実行手段と、
前記特別遊技状態においてラウンド遊技の進行に関するラウンド情報を表示可能なラウンド情報表示手段と、
遊技球の発射方向を指示する発射方向情報を表示可能な発射方向情報表示手段と、を備え、
前記発射方向情報表示手段は、前記発射方向情報として、前記所定の領域に向けて遊技球を発射することを指示する情報を、少なくとも、前記特別遊技状態の開始から終了まで表示することが可能であり、
前記ラウンド情報表示手段は、複数回の前記ラウンド遊技の初回から最終回にかけて前記ラウンド情報を表示するとともに、その表示態様を前記ラウンド遊技の終了毎に変化させて表示することが可能である
ことを要旨とする。
【手続補正３】
【補正対象書類名】明細書
【補正対象項目名】０００７
【補正方法】削除
【補正の内容】
【手続補正４】
【補正対象書類名】明細書
【補正対象項目名】０００９
【補正方法】変更
【補正の内容】
【０００９】
手段２の遊技機は、前述した手段１の遊技機において、
前記特別遊技状態において前記大入賞口への入球に関する入球情報を表示可能な入球情報表示手段を備え、
前記入球情報表示手段は、前記入球情報として、前記大入賞口への入球に基づいて遊技者に付与される遊技利益の量を認識可能とする情報を表示し、その情報の表示態様を、前記大入賞口への入球に基づいて変化させて表示することが可能である
ことを要旨とする。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
手段３の遊技機は、前述した手段２の遊技機において、
前記入球情報表示手段は、前記入球情報として、さらに、１回の前記ラウンド遊技における前記大入賞口への入球数を認識可能とする情報を表示し、その情報の表示態様を、前記大入賞口への入球に基づいて変化させるとともに、前記ラウンド遊技の終了後であって前記ラウンド情報の表示態様が変化した後に初期表示態様として表示することが可能である
ことを要旨とする。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正書】
【提出日】令和1年11月26日(2019.11.26)
【手続補正１】
【補正対象書類名】明細書
【補正対象項目名】００３０
【補正方法】変更
【補正の内容】
【００３０】
また、第１電力供給経路３０Ａと第２電力供給経路３０Ｂとの間を接続する接続導電路３１と、接続導電路３１に配され、接続導電路３１の通電をオンオフする分離リレー３２と、を備え、制御部２８は、検出部２７が第１電力供給経路３０Ａ及び第２電力供給経路３０Ｂに異常が生じていないことを検出したときには、分離リレー３２をオン状態とすることにより接続導電路３１を通電させるとともに、検出部２７が第１電力供給経路３０Ａ及び第２電力供給経路３０Ｂの少なくとも一方に異常が生じたことを検出したときには、分離リレー３２をオフ状態とすることにより接続導電路３１の通電を遮断する。
このようにすれば、第１電力供給経路３０Ａ及び第２電力供給経路３０Ｂに異常が生じていないときには、分離リレー３２がオン状態とされて接続導電路３１が通電可能な状態となるため、第１高圧バッテリ２１Ａ及び第２高圧バッテリ２１Ｂの双方の電力を使用して、第１のモータ２５Ａ及び第２のモータ２５Ｂの駆動が可能になる。また、第１電力供給経路３０Ａ及び第２電力供給経路３０Ｂの少なくとも一方に異常が生じたときには、分離リレー３２がオフ状態とされて接続導電路３１の通電が遮断されるため、一方の電力供給経路３０Ａ（３０Ｂ）の異常が正常な他方の電力供給経路３０Ｂ（３０Ａ）に及ばず、正常な電力供給経路３０Ｂ（３０Ａ）によりモータ２５Ｂ（２５Ａ）に電力が供給されるため、車両１０の駆動を継続することができる。
【手続補正２】
【補正対象書類名】明細書
【補正対象項目名】００３３
【補正方法】変更
【補正の内容】
【００３３】
（３）検出部２７及び制御部２８は、システム制御ＥＣＵ２６に設けたが、これに限られない。例えば、検出部２７と制御部２８とを異なるＥＣＵに設けてもよい。
（４）上記実施形態では、車両１０は、電気自動車としたが、これに限られない。例えばハイブリッド自動車としてもよい。
【手続補正書】
【提出日】令和2年8月12日(2020.8.12)
【手続補正１】
【補正対象書類名】特許請求の範囲
【補正対象項目名】全文
【補正方法】変更
【補正の内容】
【特許請求の範囲】
【請求項１】
オイル香料を含む均質微粒子を含み、
前記均質微粒子のメジアン径（Ｄ５０）が４００ｎｍ以下である、コーヒー飲料。
【請求項２】
前記均質微粒子のメジアン径（Ｄ５０／Ｄ９０）が、０．６以上０．８以下である、請求項１に記載のコーヒー飲料。
【請求項３】
前記均質微粒子に含まれる前記オイル香料は、コーヒー香気成分を含む、請求項１または２に記載のコーヒー飲料。
【請求項４】
乳を含む、請求項１乃至３いずれか一項に記載のコーヒー飲料。
【請求項５】
前記コーヒー飲料全量に対する乳固形分含有量が０．５質量％以上８質量％以下である、請求項４に記載のコーヒー飲料。
【手続補正２】
【補正対象書類名】明細書
【補正対象項目名】０００８
【補正方法】変更
【補正の内容】
【０００８】
本発明によれば、
オイル香料を含む均質微粒子を含み、前記均質微粒子のメジアン径（Ｄ５０）が４００ｎｍ以下である、コーヒー飲料が提供される。
【手続補正３】
【補正対象書類名】明細書
【補正対象項目名】００４５
【補正方法】変更
【補正の内容】
【００４５】
以上、本発明の実施形態について述べたが、これらは本発明の例示であり、上記以外の様々な構成を採用することもできる。
以下、本発明の参考形態の一例を示す。
＜１＞
オイル香料を含む均質微粒子を含む、コーヒー飲料。
＜２＞
前記均質微粒子のメジアン径（Ｄ５０）が４００ｎｍ以下である、＜1＞に記載のコーヒー飲料。
＜３＞
前記均質微粒子のメジアン径（Ｄ５０／Ｄ９０）が、０．６以上０．８以下である、＜1＞または＜２＞に記載のコーヒー飲料。
＜４＞
前記均質微粒子に含まれる前記オイル香料は、コーヒー香気成分を含む、＜1＞乃至＜３＞いずれか一つに記載のコーヒー飲料。